(57)【特許請求の範囲】
【請求項１】
軟質樹脂製のルアー本体内に、可塑剤、水産動物油脂および魚の好む摂餌成分が混合され、かつ、前記ルアー本体と同一硬度または前記ルアー本体よりも軟質の軟質樹脂製の摂餌体が、その一部を前記ルアー本体から外部に露出するように前記ルアー本体の内部に配置されていることにより、前記ルアー本体の素材によって前記摂餌体の外周が被覆されているとともに、前記摂餌体は前記ルアー本体よりも前記摂餌成分を多く含有していることを特徴とするソフトルアー。
【請求項２】
前記摂餌体は、前記ルアー本体とは異なる色彩にて形成するとともに、前記摂餌体が前記ルアー本体の外部から目視により確認できるよう、前記ルアー本体を透明又は半透明に形成したことを特徴とする請求項１に記載のソフトルアー。
【発明の詳細な説明】
【０００１】
【産業上の利用分野】
本発明は、軟質樹脂で形成したソフトルアーに係るもので、ソフトルアーを、本来の強度を損なう事なく、摂餌成分を含有して形成する事により、魚の食い付きを高めようとするものである。
【０００２】
【従来の技術】
従来、アミノ酸、水産動物エキス等、魚の好む摂餌成分を、塩化ビニル等の合成樹脂に分散又は混合して形成したソフトルアーが存在する。この摂餌成分を含有するソフトルアーの使用目的は、水中で摂餌成分を拡散して魚を呼び寄せたり、魚がソフトルアーをくわえ込んだ際に、このソフトルアー中の摂餌成分により魚の味覚や嗅覚を刺激し、魚の食い付きを高めようとするものであった。
【０００３】
【発明が解決しようとする課題】
【０００４】
しかしながら、摂餌成分を濃厚にして、食い付き効果を高めようとすると、ソフトルアー全体の強度が低下したり、透明感がなくなってしまう。そうすると、自然なスイミングアクションが不可能となったり、生き餌との類似性が低下する等、ソフトルアー本来の特性が失われる問題が生じた。更に、ソフトルアーの素材によっては、加工成形時に加熱すると、摂餌成分の影響で気泡や変色が生じるため、ソフトルアーの外観を悪くしていた。このような問題があるため、効果的な釣果を得るような十分な量の摂餌成分を配合してソフトルアーを形成する事は困難であった。
【０００５】
また、上述の如き欠点を除去する目的で、摂餌成分を使用した他の異なる従来発明・考案には、特開昭６２−２９９２７号公報記載の発明、実開平７−３６６５０号公報記載の考案の如く、合成樹脂やゴム等の軟質樹脂で形成したソフトルアーの内部に空洞を設け、この空洞内に魚のすり身等の集魚材を充填したものが存在する。そして、これらのソフトルアーを水中に投入すると、ソフトルアーの表面に設けた放出孔から空洞内の集魚材が水中に少しずつ放出される。この集魚材の匂いや味覚成分で魚を引き寄せる事により、ソフトルアーへの食い付き効果を向上させようとするものであった。
【０００６】
しかしながら、これらの従来方法では、大きな空洞を形成しているため、ソフトルアーの強度が低下し、釣り針に良好に止着できなかったり、水中での自然なスイミングアクションが困難となっていた。また、ソフトルアーの保管時や運搬時に、自身の重みや振動等の影響で、空洞内の集魚材が放出孔から外部に流出し、他のソフトルアーや収納容器に付着したり、ソフトルアーの釣り針への取り付けの際に、手や釣り船等を汚す問題を生じていた。
【０００７】
また、生やボイルしたすり身等を集魚材に使用するため、変質し易く、集魚効果が低下するとともに、保管性にも劣る。更に、水中への放出により、ソフトルアー内の集魚材が減少するので、ソフトルアーが変形して外観を悪くし、集魚効果が低下する。また、空洞内に集魚材を充填すれば、再使用できるが、充填の手間を必要とするし、強度が不十分であるため、魚が噛みついた際に破損し易く、再使用が困難となっていた。
【０００８】
また、他の異なる従来例として、実用新案登録第２５３０５２０号公報記載の考案では、ソフトルアーの腹部外面を、ルアー本体を形成する樹脂よりも柔らかい樹脂で形成する事により、魚が食い付いた際の感触を良好なものとし、魚の食い付き効果を高めようとしていた。しかし、異なる硬度の樹脂を接着しているため、接着性に劣るとともに、柔らかい樹脂でできた腹部の全体が外部に露出している。そのため、釣り針の投入時の刺激や障害物等により腹部が脱落し易く、腹部だけを魚に食い取られ易いものであった。更に、柔らかい樹脂部分が多いため、釣り針の止着安定性を悪くしたり、水中での自然なスイミングアクションが不可能となっていた。
【０００９】
本発明は上述の如き課題を解決しようとするものであって、魚の好む摂餌成分を含有するソフトルアーを魚がくわえ込んだ際に、魚の好む摂餌成分にて魚の嗅覚や味覚を確実に刺激可能とし、魚の食い付き効果を向上する。また、この魚の食い付き効果に優れたソフトルアーを、強度や柔軟性を低下させる事なく形成し、釣り針への止着安定性と、自然なスイミングアクションを可能とする。そして、摂餌成分が使用時に容易に脱落したり、魚に簡単に食い取られる事のないような構成で、ソフトルアーを形成するものである。
【００１０】
【課題を解決するための手段】
本発明は、上述の如き課題を解決するため、ソフトルアーにおいて、軟質樹脂製のルアー本体内に、可塑剤、水産動物油脂および魚の好む摂餌成分が混合され、かつ、前記ルアー本体と同一硬度または前記ルアー本体よりも軟質の軟質樹脂製の摂餌体が、その一部を前記ルアー本体から外部に露出するように前記ルアー本体の内部に配置されていることにより、前記ルアー本体の素材によって前記摂餌体の外周が被覆されているとともに、前記摂餌体は前記ルアー本体よりも前記摂餌成分を多く含有していることを特徴とするものである。
【００１４】
また、摂餌体は、ルアー本体とは異なる色彩にて形成するとともに、この摂餌体がルアー本体の外部から目視により確認できるよう、ルアー本体を透明又は半透明に形成しても良い。
【００１９】
【作用】
本発明は、上述の如く構成したもので、第１の製造方法でソフトルアーを製造するには、軟質樹脂製のルアー本体の素材を射出する第１ノズルと、摂餌成分をルアー本体よりも多く含有した軟質樹脂製の摂餌体の素材を射出する第２ノズルとを射出成形用の金型に配置する。この配置の際は、第２ノズルの外周を被覆するように第１ノズルを配置する。そして、両素材を金型内に射出し、冷却して固める事により、ルアー本体の素材にて摂餌体の外周を被覆してソフトルアーの成形が完了する。尚、金型に素材を射出する際に、摂餌体の素材を射出する第２ノズルの射出のタイミングや時間を調整したり、第２ノズルからの射出量を調整する事により、ルアー本体内部に充填される摂餌体の配置位置、直径や形成長さ、及び摂餌体を被覆するルアー本体の形成厚等を、任意に調整してソフトルアーを形成する事ができる。また、摂餌成分をルアー本体よりも多く含有するとは、ルアー本体に摂餌成分を摂餌体よりも少なく含有する場合と、ルアー本体には摂餌成分を全く含有しない場合とを含む概念である。
【００２０】
また、第２の製造方法でソフトルアーを製造するには、軟質樹脂製のルアー本体を形成する金型内に、摂餌成分をルアー本体よりも多く含有した摂餌体を充填する充填部を形成するための挿入ピンを配置する。次に、この金型にルアー本体用の軟質樹脂を充填してルアー本体を成形する。そして、冷却固化後、ルアー本体から挿入ピンを抜き取る。この挿入ピンの取り出し跡には、中空の充填部が形成されるので、この充填部に摂餌体の形成素材である、摂餌成分を含有する軟質樹脂を充填する事により、ルアー本体の素材にて摂餌体の外周を被覆して本発明のソフトルアーを得る事ができる。また、摂餌成分をルアー本体よりも多く含有するとは、ルアー本体に摂餌成分を摂餌体よりも少なく含有する場合と、ルアー本体には摂餌成分を全く含有しない場合とを含む概念である。
【００２１】
上述の如く形成したソフトルアーを釣り針に装着する場合、従来例の如くルアー本体に空洞が形成されていないから、釣り針の挿通時の刺激でルアー本体が裂けたりよれたりする事がなく、円滑な装着作業が可能となるとともに、装着後の止着安定性も良好なものとなる。
【００２２】
この空洞を有しないルアー本体は、水中投入時の遠心力、水中での抵抗力、魚がくわえて引っ張る力等が加わっても、釣り針から容易に脱落する事がない。また、可塑剤、水産動物油脂および魚の好む摂餌成分が混合された摂餌体は、従来品の如くルアー本体の外部に全体が露出しているのではなく、その一部を前記ルアー本体から外部に露出するようにルアー本体の内部に配置している。そのため、前述の如き投入時の刺激を受けたり、根掛かり等を生じても、ルアー本体から摂餌体が脱落したり、破損したりするのを良好に防止できるとともに、魚に摂餌体だけを容易に食い取られる事もないものである。
【００２３】
また、魚がソフトルアーに噛みつき、歯がルアー本体を突き破って、摂餌成分が混合された摂餌体に到達すると、摂餌体の摂餌成分が水中に溶け出して、魚の口中に拡散し、釣り針への針掛かりが確実なものとなる。更に、ルアー本体は、空洞を形成せず、摂餌体も軟質樹脂で形成しているから、ルアー本体の強度を低下させる事がなく、摂餌体もルアー本体から容易に脱落する事がない。
【００２４】
また、摂餌体は、一部をルアー本体から外部に露出させて形成したから、摂餌体の露出部分から、水中に摂餌成分が流出されるので、集魚効果を高める事ができる。
【００２５】
また、ソフトルアーは、何ら色素等を含有せず、素材となる軟質樹脂自身の色あいで形成しても良いが、適宜の色彩を施す事により、本物の生物により近い製品を得る事ができ、集魚効果を高める事ができる。更に、ソフトルアーは、摂餌体をルアー本体とは異なる色彩にて形成するとともに、この摂餌体がルアー本体の外部から目視により確認できるよう、ルアー本体を透明又は半透明に形成すれば、集魚効果を高める事ができるとともに、釣り人が摂餌体の位置を確認しながら、釣り針への装着を行う事ができる。そして、摂餌体の摂餌成分の水中への流出量を確認できるので、ソフトルアーの再使用や廃棄を判断する際の目安となる。また、外部から容易に目視可能な摂餌体を、ソフトルアーの適宜の位置に設けて、実際の生物の模様や内蔵の形状等に近づける事により、集魚効果を高める事ができる。
【００２６】
また、摂餌体は、摂餌成分が混合されて形成し、この摂餌成分を魚に与える事ができれば、ルアー本体と同一硬度の素材で形成しても良い。しかし、摂餌体を、ルアー本体よりも堅い素材で形成すると、魚の噛ごたえを悪くするとともに、摂餌成分の放出を良好に行えず、魚の食い付き効果が低下する。
【００２７】
また、摂餌体は、ルアー本体よりも軟質の素材により形成すれば、魚がソフトルアーを噛んで、その歯が摂餌体に到達した際に、本物の生物の内蔵を噛んだような柔らかな歯ごたえを魚が感じるものとなる。この良好な歯ごたえを感じたと同時に、摂餌成分が魚の口中に拡散するため、魚の食い付き効果をより向上させる事ができる。
【００２８】
また、ルアー本体は、摂餌成分を混合せずに形成すれば、透明度や強度、柔軟性等が損なわれる事のない製品を得る事ができる。しかし、ルアー本体は、摂餌成分を含有して形成しても良く、摂餌体との相乗効果で集魚効果を高める事ができる。しかし、ルアー本体に混合する摂餌成分の混合量は、ソフトルアーの透明度や強度、柔軟性等が損なわれない程度の量とする。
【００２９】
また、摂餌体は、ルアー本体よりも摂餌成分を多く混合する事により、魚の食い付き効果が高まるものである。このように多くの摂餌成分を混合して摂餌体を軟質に形成しても、この摂餌体の外周をルアー本体で被覆しているので、安定性が高まり、脱落を防ぐとともに、ルアー本体の強度を損なう事がない。そして、摂餌体は、ルアー本体よりも可塑剤の混合量を多くする事により、摂餌体の素材として使用する軟質樹脂中に多くの摂餌成分を混合する事ができるとともに、軟質樹脂内での摂餌成分の安定性も良好なものとなる。
【００３０】
尚、摂餌体は、ルアー本体と可塑剤の混合量を同一としても良く、摂餌体の素材の軟質樹脂に、多くの摂餌成分を混合する事により、摂餌体の摂餌成分の含有量を、ルアー本体よりも多くする事ができる。
【００３１】
また、ルアー本体及び摂餌体の素材である軟質樹脂は、塩化ビニル、ポリスチレン、塩化ポリスチレンエラストマー、スチレンブタジエンコポリマー、その他を使用する事ができる。また、これらの軟質樹脂は、可塑剤や軟化剤を混合する事により、良好な可塑性や柔軟性を持つものとなり、ソフトルアーの容易な加工や、自然なスイミングアクションが可能となる。この可塑剤又は軟化剤として、フタル酸誘導体、イソフタル酸誘導体、アジピン酸誘導体、アゼライン酸誘導体、セバシン酸誘導体、マレイン酸誘導体、フマル酸誘導体、トリメリット酸誘導体、クエン酸誘導体、エポキシ誘導体等を使用する事ができる。また、軟化剤としては、パラフィン系、ナフテン系、芳香族系等の各種プロセスオイル、なたね油、大豆油、ひまし油、パーム油、やし油、綿実油、流動パラフィン等を使用するのが好ましい。
【００３２】
また、上記各可塑剤及び軟化剤を混合する際に、魚油、肝油、エビ油、いか油、その他の水産動物油脂を併用すると、軟質樹脂に可塑性や柔軟性を持たせるだけでなく、摂餌成分としての働きを持たせる事ができ、摂餌体に混合された摂餌成分との相乗効果により、ソフトルアーの集魚効果を高めるものとなる。また、ルアー本体や摂餌体に混合する摂餌成分としては、各種アミノ酸並びにアミノ酸混合物、水産動物エキス並びにその酵素分解品、酵母エキス、その他を用いる事ができる。これらの摂餌成分は、必要に応じて着色脱水処理や、乳化処理を行った後、軟質樹脂に混合する。
【００３３】
【実施例】
本発明のソフトルアーを詳細に説明する。以下に第１実施例のソフトルアーの処方と製造方法を示す。
【００３４】
ルアー本体の処方(ルアー本体の全体量を１００とした場合の重量割合)
ポリ塩化ビニル                                ３０．０００wt%
ジフタレート(可塑剤)                          ６９．９９５wt%
顔料(緑色)                                      ０．００５wt%
【００３５】
摂餌体の処方(摂餌体の全体量を１００とした場合の重量割合)
ポリ塩化ビニル                                １５．００wt%
ジフタレート(可塑剤)                          ７４．９６wt%
魚肉(酵素分解後、脱水したもの。摂餌成分)        ５．００wt%
魚油(摂餌成分及び可塑剤)                        ５．００wt%
乳化剤                                          ０．０４wt%
【００３６】
そして、ソフトルアーの製造工程は、まず、上記処方例に示したルアー本体用の各材料と、摂餌体用の各材料とを別々の容器にて混合する。この混合により、半透明の淡緑色のルアー本体用の素材と、摂餌成分により褐色を呈するとともに、可塑剤を多く混合する事によりルアー本体用の素材よりも軟質に形成した摂餌体用の素材を得る事ができる。そして、両素材を、軟質樹脂の充填装置に各々充填し、ルアー本体用の素材を射出するための第１ノズルと、摂餌体の素材を射出するための第２ノズルに、各々移送可能とする。次に、第１ノズルと第２ノズルとを、小魚型に形成した射出成形用の金型に配置する。この配置の際は、第２ノズルの外周を被覆するように第１ノズルを配置する。
【００３７】
そして、各ノズルから両素材を金型内に射出する。各ノズルには、ヒーターを設置し、ノズルを通過する素材が１７０℃に達するまで加熱する事により、各素材の樹脂を良好に溶解した状態で金型内に充填する事ができる。また、この充填の際は、第１ノズルからルアー本体用の素材を射出し、一定時間を経過した後、第２ノズルから摂餌体用の素材を射出する事により、ルアー本体の素材にて、摂餌体の外周を被覆可能となる。また、第２ノズルからの摂餌体の素材の射出時間を調整するとともに、射出量を調整する事により、摂餌体の配置位置、大きさ、この摂餌体を被覆するルアー本体の形成厚等を、任意に調整する事が可能となる。
【００３８】
そして、ルアー本体の素材７９．０wt%、摂餌体の素材２１．０wt%の重量割合で、各素材を金型内に加圧充填し、冷却して固化する事により、図１に示す如く、小魚型のソフトルアー(１)の成形が完了する。このソフトルアー(１)は、半透明の淡緑色のルアー本体(２)と、このルアー本体(２)の腹側の内部に配置した、褐色で軟質の摂餌体(３)とから構成される。このようにルアー本体(２)を半透明の淡緑色としているので、摂餌体(３)は、ルアー本体(２)の外部から容易に目視する事ができる。また、本実施例では、摂餌体(３)は、図１、図２に示す如く、ルアー本体(２)の腹側に軸線状に配置し、小魚の肛門に当たる部分に於いて、外部に露出するように形成し、露出部(４)を設けている。そのため、摂餌体(３)は、外部から小魚の消化器官のように見え、釣り目的の魚の引き寄せ効果が高まる。
【００３９】
上述の如く形成したソフトルアー(１)を、図３、図４に示す如く、釣り針(５)にオフセット装着方法で装着する。この釣り針(５)には、ルアー本体(２)は、従来例の如き空洞を有していないので、ハリ先部(６)を突き刺しても、ルアー本体(２)が裂けたりよれたりする事がなく、釣り針(５)への挿通を円滑に行う事ができるとともに、止着後の安定も良好なものとなる。
【００４０】
そして、釣り針(５)のハリ先部(６)を、ソフトルアー(１)の腹部に突き刺して収納するが、その際には、ハリ先部(６)を摂餌体(３)の露出部(４)から挿入し、摂餌体(３)内に配置しても良い。即ち、摂餌体(３)はルアー本体(２)よりも軟質であるから、ハリ先部(６)の挿入を行い易いし、摂餌体(３)の外周をルアー本体(２)の樹脂で被覆しているので、ハリ先部(６)が外部に突出したり、外れたりする事がないものとなる。
【００４１】
また、ルアー本体(２)は、空洞を形成しておらず、摂餌体(３)も軟質樹脂で形成して、ルアー本体(２)内に配置しているので、ルアー本体(２)の強度や柔軟性が低下する事がない。そのため、ソフトルアー(１)は、水中投入時の遠心力、水中で抵抗力、魚がくわえて引っ張る力等を受けても、釣り針(５)から容易に脱落する事がない。また、摂餌成分が混合された軟質な摂餌体(３)は、露出部(４)のみを外部に露出し、大部分をルアー本体(２)の内部に配置しているため、前述の如き負荷を受けたり、根掛かりを生じても、摂餌体(３)がルアー本体(２)から脱落したり、容易に破損したりする事がないし、水中に於いても摂餌体(３)が魚(７)に容易に食い取られる事もないものとなる。
【００４２】
また、前述の如き強度や柔軟性を有したルアー本体(２)は、魚(７)の食い付きによる破損を生じにくいとともに、水中で自然なスイミングアクションを行う事が可能である。そして、ルアー本体(２)の外部から、小魚の内蔵に似た摂餌体(３)が透けて見えるとともに、この摂餌体(３)の露出部(４)から、摂餌成分が少しずつ水中に流出して拡散するので、良好な集魚効果が得られる。
【００４３】
そして、このようにソフトルアー(１)に引き寄せられた魚(７)が、ソフトルアー(１)をくわえ込んで噛んだ際に、図５に示す如く、その歯(８)がルアー本体(２)を突き破って、摂餌成分が混合された摂餌体(３)まで到達する。すると、この噛み傷から摂餌体(３)の摂餌成分が水中に多く溶け出して、魚(７)の口中に拡散し、魚(７)の上顎(１０)に、ハリ先部(６)が確実に突き刺さる。また、摂餌体(３)は、軟質樹脂内に、摂餌成分を混合しているので、摂餌成分が水中にて素早く拡散して失われてしまう事がなく、集魚効果を長く保つ事ができる。
【００４４】
また、前述の如く、摂餌体(３)を外部から容易に目視できるので、釣り人は、釣り上げた魚(７)を釣り針(５)から外した際に、摂餌体(３)の摂餌成分の流出量を確認する事ができる。そして、ルアー本体(２)は、破損しにくい強度を有しているので、摂餌体(３)の摂餌成分の残量が多ければ、繰り返し使用する事ができ、経済的である。
【００４５】
また、上記第１実施例では、小魚型のソフトルアー(１)を形成しているが、他の異なる第２実施例では、図６に示す如く、尾を動かす小魚型のソフトルアー(１)を形成している。このソフトルアー(１)は、第１実施例と同様の処方と製造方法で、小魚型に於いても尾を動かすタイプのものをかたどった金型を使用して形成したものである。
【００４６】
また、他の異なる第３実施例では、図７に示す如く、ザリガニ型のソフトルアー(１)を形成している。その処方は、以下の通りである。
【００４７】
ルアー本体の処方(ルアー本体の全体量を１００とした場合の重量割合)
ポリスチレン                                  ２０．０００wt%
流動パラフィン(可塑剤)                        ７９．９９５wt%
顔料(紫色)                                      ０．００５wt%
【００４８】
摂餌体の処方(摂餌体の全体量を１００とした場合の重量割合)
ポリスチレン                                  １５．００wt%
ノルマルパラフィン(可塑剤)                    ７９．９８wt%
オキアミ(酵素分解後、脱水したもの。摂餌成分)    ２．５０wt%
エビ油(摂餌成分及び可塑剤)                      ２．５０wt%
乳化剤                                          ０．０２wt%
【００４９】
上記処方の材料を、第１実施例と同様の製造方法で、ザリガニ型の金型を用いる事により、第３実施例のザリガニ型のソフトルアー(１)を形成する。尚、本実施例では、ルアー本体(２)と摂餌体(３)の各素材は、各々８５．０wt%、１５．０wt%の重量割合で金型に充填するとともに、良好に溶解させて充填可能な様に、ノズルに設けたヒーターで、１９０℃に加熱して充填作業を行っている。
【００５０】
また、このように、第１実施例と同様な製造方法でソフトルアー(１)を形成しても良いが、他の異なる製造方法で形成しても良い。その方法はまず、ザリガニ型の金型内に、摂餌体(３)を充填する充填部を形成するための挿入ピンを配置する。そして、この金型にルアー本体用の素材を充填してルアー本体(２)を成形する。そして、冷却固化後、ルアー本体(２)から挿入ピンを抜き取る。この挿入ピンの取り出し跡には、中空の充填部が形成されるので、この充填部に、摂餌成分が混合された軟質樹脂製の摂餌体(３)の素材を充填する事により、ルアー本体(２)内部に摂餌体(３)を配置したソフトルアー(１)を得る事ができる。この方法だと、挿入ピンを必要とするとともに、この挿入ピンの抜き差しの手間等があるが、第１の製造方法の如き充填装置等の特別な設備を用いる事なく、容易な製造が可能となる。
【００５１】
上述の何れかの方法で形成する事により、ルアー本体(２)が半透明な淡紫色となる。また、摂餌体(３)は、オキアミとエビ油の混合により赤色に形成されるとともに、ルアー本体(２)の外部から容易に目視可能となる。
【００５２】
また、他の異なる第４〜第６実施例では、図８〜図１０に示す如く、それぞれ小イカ型、タコ型、グラブ型のソフトルアー(１)を形成している。そして、釣り目的の魚(７)の好みに応じて、上記第１〜第６実施例のソフトルアー(１)から、適宜のものを選択して使用する事により、優れた釣果を得る事ができる。
【００５３】
また、上記各実施例では、摂餌体(３)を、ルアー本体(２)よりも軟質に形成しているが、摂餌体(３)は、摂餌成分を多く混合されていれば、ルアー本体(２)と同一硬度で形成しても良い。また、上記各実施例では、ルアー本体(２)には、摂餌成分を混合せずに形成しているが、摂餌成分となる材料を混合して形成しても良い。但し、ルアー本体(２)に摂餌成分を多く混合すると、ソフトルアー(１)全体の強度や柔軟性等を損なうので、これらを損なわない程度で、かつ摂餌体(３)よりも少ない混合量で混合する。
【００５４】
次に、第１実施例の小魚型のソフトルアー(１)と、第３実施例のザリガニ型のソフトルアー(１)を用いて、実際に釣り実験を行い、その釣果を検証した。尚、比較のため、摂餌体(３)を設けずに形成した従来のソフトルアーも２種類使用した。そして、第１実施例との比較に使用する第１比較例のソフトルアーは、第１実施例のルアー本体(２)の処方のみの材料を用い、全体が同一硬度で半透明の淡緑色を呈した小魚型に形成している。更に、第１実施例の摂餌体(３)に相当する部位を、褐色に着色している。また、第２実施例との比較に使用する第２比較例のソフトルアーも同様に、第２実施例のルアー本体(２)の処方のみの材料を用い、全体が同一硬度で半透明の淡紫色を呈したザリガニ型に形成している。そして、第２実施例の摂餌体(３)に相当する部位を、赤色に着色している。
【００５５】
上記４種類のソフトルアー(１)を用い、平成１１年５月２０日(木)〜平成１１年５月２１日(金)の二日間に渡って、神奈川県芦ノ湖に於いて、バス釣りを行った。尚、釣り実験を行った二日間とも、快晴で湖の透明度も高く、バスが水中でソフトルアーを追ってくる様子が肉眼で確認できる状況であった。また、各ソフトルアーは、それぞれ２名の実験者が、交互にローテーションして、同一の技術と使用頻度で用いるようにした。本実験の釣果を、以下の表１に示す。
【００５６】
【表１】
0004225395.tif 000002
【００５７】
上述の表１から判るように、本発明のソフトルアー(１)は、２製品とも、優れた釣果を得る事ができた。これらのソフトルアーでは、バスが一度噛みついた際に、針掛かりしなくても、摂餌体の摂餌成分が放出されたので、バスが何度も積極的に噛み直してきたため、確実に針掛かりして、釣れた匹数が多くなったと考えられる。一方、比較例に於いても、そのスイミングアクションと色彩、形状により、バスが追ってきたが、ソフトルアーを一度噛んで針掛かりしなかったものは、それ以上追ってくる事は殆どなく、本発明の如き釣果を得られなかった。
【００５８】
【発明の効果】
本発明は、上述の如く構成したもので、ルアー本体に空洞等を設けず、可塑剤、水産動物油脂および魚の好む摂餌成分が混合され、かつ、ルアー本体と同一硬度またはルアー本体よりも軟質の軟質樹脂製の摂餌体が、その一部をルアー本体から外部に露出するようにルアー本体の内部に配置されているので、ルアー本体の強度を低下させる事がなく、水中で自然なスイミングアクションを行う事が可能である。そして、魚がソフトルアーをくわえ込んだ際に、魚の好む摂餌成分が魚の口中に拡散して、確実な針掛かりが可能となる。そして、このようにルアー本体内部に配置する事により、摂餌体が容易にルアー本体から脱落したり、魚に簡単に食い取られる事がなく、優れた集魚効果と魚の針掛かり効果を維持する事ができる。
【図面の簡単な説明】
【図１】  本発明の第１実施例の小魚型ソフトルアーの正面図。
【図２】  図１の断面図。
【図３】  第１実施例のソフトルアーを釣り針にオフセット装着した状態の断面図。
【図４】  図３の断面図。
【図５】  魚がソフトルアーをくわえ込んだ状態の断面図。
【図６】  第２実施例の尾を動かす小魚型ソフトルアーの正面図。
【図７】  第３実施例のザリガニ型ソフトルアーの正面図。
【図８】  第４実施例の小イカ型ソフトルアーの正面図。
【図９】  第５実施例のタコ型ソフトルアーの正面図。
【図１０】  第６実施例のグラブ型ソフトルアーの正面図。
【符号の説明】
２  ルアー本体
３  摂餌体
【図１】
0004225395.tif 000003
【図２】
0004225395.tif 000004
【図３】
0004225395.tif 000005
【図４】
0004225395.tif 000006
【図５】
0004225395.tif 000007
【図６】
0004225395.tif 000008
【図７】
0004225395.tif 000009
【図８】
0004225395.tif 000010
【図９】
0004225395.tif 000011
【図１０】
0004225395.tif 000012